(57)【要約】【課題】２本の導出管路１０ａ，１０ｂから、電解生成アルカリ性水と電解生成酸性水をそれぞれ同時に注出する注出装置であって、手洗いを、先ず電解生成アルカリ性水にて洗浄し、所定時間経過後に電解生成酸性水の洗浄に移行させる手洗い洗浄を実行する場合、手洗いをこの順序で円滑に行えるようにする。【解決手段】第１，第２の導出管路１０ａ，１０ｂから注出する電解生成水の種類を点灯表示するアルカリ性水表示ランプ１７ａと酸性水表示ランプ１７ｃを設け、手洗い洗浄の場合には、先ずアルカリ性水表示ランプ１７ａを点灯表示し、所定時間経過後に、アルカリ性水表示ランプ１７ａを消灯し、同時に、酸性水表示ランプ１７ｃを点灯表示し、これらの表示ランプ１７ａ，１７ｃの点灯表示に従って手を洗浄する。【選択図】  図１
2007075664.tif 000002
【特許請求の範囲】
【請求項１】
先端部に注出口を有し基端部を電解生成水の供給源に接続されて電解生成水を導出する第１の導出管路と、先端部に注出口を有し基端部を電解生成水の供給源に接続されて前記第１の導出管路とは異なる種類の電解生成水を導出する第２の導出管路を備えるとともに、これら各導出管路からの電解生成水の注出を開始および停止する注出スイッチまたは注出センサと、前記各導出管路の配設部位の近傍に配設されて前記各電解生成水の注出状態を点灯して表示する表示ランプを備える電解生成水用の注出装置であり、当該注出装置は前記両導出管路の一方から電解生成アルカリ性水が注出され、同時に、前記両導出管路の他方から電解生成酸性水が注出される手洗い洗浄態様を備え、当該手洗い洗浄態様における前記両電解生成水には洗浄に供する優先順位があって、当該手洗い洗浄態様は、優先される一方の電解生成水によって所定時間洗浄し、所定時間経過後に他方の電解生成水によって洗浄する態様であり、当該洗浄態様では、前記一方の電解生成水による洗浄時間の間は同電解生成水の注出状態を表示する表示ランプを点灯させるとともに前記他方の電解生成水の注出状態を表示する表示ランプを消灯させ、かつ、前記他方の電解生成水による洗浄時間の間は同電解生成水の注出状態を表示する表示ランプを点灯させるとともに前記一方の電解生成水の注出状態を表示する表示ランプを消灯させることを特徴とする電解生成水用の注出装置。
【請求項２】
請求項１の記載に記載の電解生成水用の注出装置において、前記手洗いの洗浄態様では、電解生成アルカリ性水による洗浄を優先し、電解生成アルカリ性水により所定時間洗浄した後に、電解生成酸性水による洗浄に移行することを特徴とする電解生成水用の注出装置。
【請求項３】
請求項１に記載の電解生成水用の注出装置において、前記各導出管路は電解生成アルカリ性水専用および電解生成酸性水専用の導出管路ではなく、前記各導出管路には電解生成アルカリ性水および電解生成酸性水が選択的に切替えられて導入され、前記各導出管路の配設部位の近傍には、電解生成アルカリ性水の注出状態を点灯して表示する表示ランプと電解生成酸性水の注出状態を点灯して表示する表示ランプの一対の表示ランプ群がそれぞれ配設されていることを特徴とする電解生成水用の注出装置。
【請求項４】
請求項１〜３のいずれか一項に記載の電解生成水用の注出装置において、当該吐出装置は、手洗い洗浄態様の他に、各電解生成水を継続して連続注出する連続注出態様と、各電解生成水を設定された一定量を注出する定量注出態様を備え、前記連続注出態様を開始および停止する注出スイッチまたは注出センサ、同連続注出態様を点灯して表示する表示ランプを備え、かつ、前記定量注出態様を開始する注出スイッチまたは注出センサ、同定量注出態様を点灯して表示する表示ランプを備えていることを特徴とする電解生成水用の注出装置。
【発明の詳細な説明】
【技術分野】
【０００１】
本発明は、電解生成水用の注出装置に関する。
【背景技術】
【０００２】
電解生成水用の注出装置は、電解生成水を手洗い場、各種の食材や各種の器具を洗浄する洗浄場に注出して洗浄に供すべく機能するもので、その一形式として、先端部に注出口を有し基端部を電解生成水の供給源に接続されて電解生成水を導出する第１の導出管路と、先端部に注出口を有し基端部を電解生成水の供給源に接続されて前記第１の抽出管路とは異なる種類の電解生成水を導出する第２の導出管路を備える形式の電解生成水用の注出装置がある（特許文献１を参照）。
【０００３】
当該形式の電解生成水用の注出装置においては、前記両導出管路の一方から電解生成アルカリ性水が注出され、同時に、前記両導出管路の他方から電解生成酸性水が注出される手洗い洗浄態様を備えるものがあり、当該手洗い洗浄態様を有する注出装置においては、各導出管路からの電解生成水の注出を開始および停止する注出スイッチまたは注出センサと、前記各導出管路の配設部位の近傍に配設されて各電解生成水の注出状態を点灯して表示する表示ランプを有する操作部を備える構成とするのが一般である。
【特許文献１】特開平１０−２４２９３号公報
【発明の開示】
【発明が解決しようとする課題】
【０００４】
ところで、当該手洗い洗浄態様においては、各導出管路から注出される互いに異なる電解生成水（電解生成アルカリ性水および電解生成酸性水）にて手を順次洗浄する態様が採れるが、手の洗浄目的から、両電解生成水には洗浄に供する優先順位を設けて、手を、先ず優先される一方の電解生成水によって所定時間洗浄し、所定時間経過後に、他方の電解生成水によって洗浄する態様を採るのが好ましい。但し、当該手洗い洗浄態様を実施する場合においては、各電解生成水が各導出管路から同時に注出されることから、電解生成水の注出状態を点灯して表示する各表示ランプは同時に点灯していることになる。
【０００５】
このため、手洗い洗浄を意図している人は、各導出管路から注出している電解生成水が何れの種類の電解生成水であるのかを確認することが難しく、また、いずれの電解生成水で先に洗浄するのかの判断をすることは一層難しく、さらにまた、優先して洗浄する電解生成水による洗浄を終了する時間の判断はなお一層難しい。本発明の目的は、かかる問題に対処することにある。
【課題を解決するための手段】
【０００６】
本発明は、互いに異なる特性の２種類の電解生成水を同時に注出して洗浄に供することができる、電解生成水用の注出装置に関する。本発明が適用対象とする電解生成水用の注出装置は、先端部に注出口を有し基端部を電解生成水の供給源に接続されて電解生成水を導出する第１の導出管路と、先端部に注出口を有し基端部を電解生成水の供給源に接続されて前記第１の導出管路とは異なる種類の電解生成水を導出する第２の導出管路を備えるとともに、これら各導出管路からの電解生成水の注出を開始および停止する注出スイッチまたは注出センサと、前記各導出管路の配設部位の近傍に配設されて前記各電解生成水の注出状態を点灯して表示する表示ランプを備える形式の電解生成水用の注出装置である。
【０００７】
本発明に係る電解生成水用の注出装置においては、前記両導出管路の一方から電解生成アルカリ性水が注出され、同時に、前記両導出管路の他方から電解生成酸性水が注出される手洗い洗浄態様を備え、当該手洗い洗浄態様における前記両電解生成水には洗浄に供する優先順位があって、当該手洗い洗浄態様は、優先される一方の電解生成水によって所定時間洗浄し、所定時間経過後に他方の電解生成水によって洗浄する態様であり、当該洗浄態様では、前記一方の電解生成水による洗浄時間の間は同電解生成水の注出状態を表示する表示ランプを点灯させるとともに前記他方の電解生成水の注出状態を表示する表示ランプを消灯させ、かつ、前記他方の電解生成水による洗浄時間の間は同電解生成水の注出状態を表示する表示ランプを点灯させるとともに前記一方の電解生成水の注出状態を表示する表示ランプを消灯させることを特徴とするものである。
【０００８】
本発明に係る電解生成水用の注出装置においては、前記手洗い洗浄態様では、電解生成アルカリ性水による洗浄を優先し、手を、先ず電解生成アルカリ性水により所定時間洗浄し、所定時間経過後に、電解生成酸性水による洗浄に移行するようにすることが、殺菌効果の高い洗浄する面から好ましい。
【０００９】
また、本発明に係る電解生成水用の注出装置においては、電解生成水の供給源の関係から、前記各導出管路は電解生成アルカリ性水専用および電解生成酸性水専用の導出管路ではなく、前記各導出管路には、電解生成アルカリ性水および電解生成酸性水が選択的に切替えられて導出される形式のものがあり、この場合には、前記各導出管路の配設部位の近傍には、電解生成アルカリ性水の注出状態を点灯して表示する表示ランプと電解生成酸性水の注出状態を点灯して表示する表示ランプの一対の表示ランプ群をそれぞれ配設する形態を採ることができる。
【００１０】
また、本発明に係る電解生成水用の注出装置においては、前記手洗い洗浄態様の他に、各電解生成水を継続して連続注出する連続注出態様と、各電解生成水を設定された一定量を注出する定量注出態様を備る構成とすることができ、この場合には、前記連続注出態様を開始および停止する注出スイッチまたは注出センサ、同連続注出態様を点灯して表示する表示ランプを備え、かつ、前記定量注出態様を開始する注出スイッチまたは注出センサ、同定量注出態様を点灯して表示する表示ランプを備える形態を採ることができる。
【発明の効果】
【００１１】
本発明に係る電解生成水用の注出装置においては、手洗い洗浄態様を実行する場合、洗浄用に優先して供すべき電解生成水の注出部位を表示ランプの点灯により確認して、手を同電解生成水により洗浄することができ、また、同表示ランプの消灯によって優先すべき電解生成水による手の洗浄の終了を確認し、さらに、これに引き続く洗浄に供すべき電解生成水の注出部位を確認して、同電解生成水による手の洗浄に移行することができる。すなわち、当該電解生成水用の注出装置によれば、電解生成水の注出状態を点灯して表示する表示ランプの点灯および消灯状態を確認して、手洗いの一連の洗浄態様を、間違いなくかつ円滑に行うことができる。
【００１２】
また、当該手洗いの洗浄態様は、各導出管路が電解生成アルカリ性水専用および電解生成酸性水専用の導出管路ではなく、電解生成アルカリ性水および電解生成酸性水が選択的に切替えられて導出される導出管路を備える注出装置にも適用することができ、この場合には、各導出管路の配設部位の近傍に、電解生成アルカリ性水の注出状態を点灯して表示する表示ランプと電解生成酸性水の注出状態を点灯して表示する表示ランプの一対の表示ランプ群がそれぞれ配設する形態を採ればよい。
【００１３】
また、当該手洗い洗浄態様は、各電解生成水を継続して連続注出する連続注出態様、および、各電解生成水を設定された一定量を注出する定量注出態様を備える注出装置にも適用することができ、この場合には、前記連続注出態様を開始および停止する注出スイッチまたは注出センサ、同連続注出態様を点灯して表示する表示ランプを備え、かつ、前記定量注出態様を開始する注出スイッチまたは注出センサ、同定量注出態様を点灯して表示する表示ランプを備える形態を採ればよい。
【発明を実施するための最良の形態】
【００１４】
本発明は、互いに異なる特性の２種類の電解生成水を同時に注出して、両電解生成水を各種の目的に利用することができる電解生成水用の注出装置に関する。図１には、本発明に係る電解生成水用の注出装置の一実施形態を示している。当該注出装置１０は、電解水生成装置２１の本体に組み付けられて当該電解水生成装置２１の前面に位置していて、当該電解水生成装置２１の電解運転時には、当該電解水生成装置２１にて同期的に生成される電解生成アルカリ性水と電解生成酸性水とが同時に注出し得るものである。電解水生成装置２１は、有隔膜電解槽を有する有隔膜電解式の電解水生成装置であって、食塩の希薄水溶液を被電解水とし、有隔膜電解槽を構成する陰極側電解室にて電解生成アルカリ性水を生成し、かつ、有隔膜電解槽を構成する陽極側電解室にて電解生成酸性水を生成し得るものである。
【００１５】
当該注出装置１０は、一対の導出管路である第１の導出管路１０ａと第２の導出管路１０ｂを備えるとともに、制御装置２２を内蔵する制御ボックス１０ｃを備えるものであり、制御ボックス１０ｃは、その前面に操作パネル１０ｄを備えている。第１の導出管路１０ａは、管本体１１ａと、その先端に取付けられて注出口を形成する噴出ノズル１１ｂとからなり、その基端部側にて、電解生成水装置２１の有隔膜電解槽における一方の電解室に接続されている、図示しない一方の流出管路に接続されている。また、第２の導出管路１０ｂは、管本体１２ａと、その先端に取付けられて注出口を形成する噴出ノズル１２ｂとからなり、その基端部側にて、電解生成水装置２１の有隔膜電解槽における他方の電解室に接続されている、図示しない他方の流出管路に接続されている。
【００１６】
制御ボックス１０ｃに内蔵されている制御装置２２は、当該電解水生成装置２１の電解運転を制御する制御プログラムと、電解生成水を継続して連続的に注出する連続注出態様、電解生成水の一定量を注出する定量注出態様、および、電解生成水を手洗い洗浄に供すべく注出する手洗い注出態様の３つの注出態様を実行する注出制御プログラムを備えている。制御ボックス１０ｃの前面側には、これらの制御プログラムを実行および停止するための操作スイッチ類および注出センサ類、これらの制御プログラムの実行状態を点灯して表示する表示ランプ群が配設されている。
【００１７】
操作パネル１０ｄは、制御ボックス１０ｃの前面を構成しているもので、その上下の中央部における左右の部位に、第１注出スイッチ１３ａおよび第２注出スイッチ１３ｂが配設されている。また、制御ボックス１０ｃにおける操作パネル１０ｄの下方の傾斜部位には、第１注出センサ１４ａおよび第２注出センサ１４ｂが配設されている。
【００１８】
第１注出スイッチ１３ａおよび第１注出センサ１４ａは、制御装置２２に対して、電解生成水の連続注出態様または定量注出態様の実行を指令すべく機能するもので、制御装置２２は、当該指令に基づいて当該電解水生成装置２１の電解運転を制御して、電解生成水の連続注出態様または定量注出態様を実行する。第１注出スイッチ１３ａは、１度押動操作されると再度押動操作されるまで、両導出管路１０ａ，１０ｂから電解生成水を連続的に注出すべく機能する。また、第１注出スイッチ１３ａは、押動操作が３秒間継続されると、両導出管路１０ａ，１０ｂから電解生成水を、設定された時間だけ継続して注出し、設定された時間が経過した時点で、電解生成水の注出を停止すべく機能する。換言すれば、第１注出スイッチ１３ａは、その押動操作が３秒間継続されると、電解生成酸性水を一定量注出する定量注出態様を実行すべく機能する。なお、本実施形態では、定量注出すべき設定時間は１分間〜６０分間の範囲で任意に設定することができ、当該設定時間は、当該電解水生成装置の電解運転時間の表示部に表示される。第１注出センサ１４ａは、第１注出スイッチ１３ａとは、押動操作および検知操作が検知動作に代わる点では相違するが、電解生成水の注出機能および停止機能の点では同一である。
【００１９】
第２注出スイッチ１３ｂおよび第２注出センサ１４ｂは、制御装置２２に対して、電解生成水の手洗い注出態様の実行を指令すべく機能するもので、制御装置２２は、当該指令に基づいて当該電解水生成装置２１の電解運転を制御して、電解生成水の手洗い注出態様を実行する。第２注出センサ１４ａは、第２注出スイッチ１３ｂとは、押動操作および検知動作という点では相違するが、電解生成水の注出機能および停止機能の点では同一である。なお、本実施形態では、手洗い注出態様は手洗い洗浄態様と同義語であって、以下では、手洗い注出態様を手洗い洗浄態様と称することとし、手洗い注出態様の詳細については、後述する手洗い洗浄態様の詳細な説明にて明らかにする。
【００２０】
操作パネル１０ｄに多数配設されている各表示ランプ群は、制御装置２２が有する各制御プログラムの実行および終了に応じて点灯および消灯するもので、各制御プログラムの実行の有無を点灯または消灯して表示する機能を有している。各表示ランプのうち、連続注出表示ランプ１５ａは、第１注出スイッチ１３ａまたは第１注出センサ１４ａからの指令に基づく電解生成水の連続注出態様の実行中点灯していて、当該連続注出態様の実行を表示すべく機能する。定量注出表示ランプ１５ｂは、第１注出スイッチ１３ａまたは第１注出センサ１４ａからの指令に基づく電解生成水の定量注出態様の実行中点灯していて、当該定量注出態様の実行を表示すべく機能する。手洗い注出表示ランプ１５ｃは、第２注出スイッチ１３ｂまたは第２注出センサ１４ｂからの指令に基づく電解生成水の手洗い洗浄態様（手洗い注出態様）の実行中点灯していて、当該手洗い洗浄態様の実行を表示すべく機能する。本実施形態においては、これらの表示ランプ１５ａ〜１５ｃが点灯して表示する色は緑色に設定されていて、各操作スイッチ１３ａ，１３ｂの上方における近傍の部位に配設されている。
【００２１】
なお、操作パネル１０ｄの下方の部位における中央部に配設されている表示ランプ１６ａは、当該電解水生成装置２１が電解運転中であることを点灯して表示する電解生成水の生成表示ランプであり、当該生成表示ランプ１６ａは、点灯した場合には緑色に光輝する。また、表示ランプ１６ｂは、当該電解水生成装置２１にて点検等を要する事態が発生した場合に点灯してこれを表示する点検表示ランプであり、当該点検表示ランプ１６ｂは、点灯した場合赤色に光輝する。
【００２２】
操作パネル１０ｄの下方の部位における左側部位には、第１操作スイッチ１３ａの下方の近傍に上下一対の表示ランプ１７ａ，１７ｂが配設され、かつ、操作パネル１０ｄの下方の部位における右側部位には、第２操作スイッチ１３ｂの下方の近傍に上下一対の表示ランプ１７ｃ，１７ｄが配設されている。これらの表示ランプ１７ａ〜１７ｄは、それぞれ、手洗い洗浄態様に関わる表示ランプであり、表示ランプ１７ａ，１７ｄは、電解生成アルカリ性水が注出する導出管路を点灯して表示するアルカリ性水表示ランプであり、表示ランプ１７ｂ，１７ｃは、電解生成酸性水が注出する導出管路を点灯して表示する酸性水表示ランプである。なお、アルカリ性水表示ランプ１７ａおよび酸性水表示ランプ１７ｂと、アルカリ性水表示ランプ１７ｄおよび酸性水表示ランプ１７ｃとが対をなして、第１の導出管路１０ａと第２の導出管路１０ｂの近傍に配設されているのは下記の理由による。
【００２３】
当該電解水生成装置２１は、有隔膜電解式の電解水生成装置であって、電解運転時には、有隔膜電解槽では、陰極側電解室にて電解生成アルカリ性水が生成され、かつ、陽極側電解室にて電解生成酸性水が生成される。この場合、陰極側電解室内では、電解生成アルカリ性水の生成に伴い、被電解水に溶解していたカルシウムイオンやマグネシウムイオンが金属化合物として析出して、電解室内、隔膜および電極等に付着して電解効率を低下させることになる。当該電解水生成装置においては、これに対処すべく、有隔膜電解槽の各電解室に配設されている各電極の極性を所定時間毎に正負反転して、各電解室における陰極側電解室を陽極側電解室に、陽極側電解室を陰極側電解室に変更して、陰極側電解室であった電解室に析出している金属化合物を、生成される電解生成酸性水により溶解除去する手段を採っている。従って、当該電解水生成装置２１においては、各電極の極性の正負反転に伴い、第１の導出管路１０ａに導入される電解生成水は、例えば電解生成アルカリ性水から電解生成酸性水に変換され、同時に、第２の導出管路１０ｂに導入される電解生成水は、例えば電解生成酸性水から電解生成アルカリ性水に変換されることになる。このため、制御装置２２は、各電極の極性の正負反転前には、例えば、上方に配設されているアルカリ性水表示ランプ１７ａと酸性水表示ランプ１７ｃを表示ランプとして機能させ、各電極の極性の正負反転されたこと検知した場合には、下方に配設されているアルカリ性水表示ランプ１７ｄと酸性水表示ランプ１７ｂを表示ランプとして機能させるようにしている。
【００２４】
当該注出装置１０においては、電解生成水の連続注出態様と、定量注出態様と、手洗い洗浄態様の３つの使用態様を実行し得るものである。電解生成水の連続注出態様は、電解生成アルカリ性水および電解生成酸性水を、第１の導出管路１０ａおよび第２の導出管路１０ｂから同時に注出して、注出された電解生成アルカリ性水および電解生成酸性水を適宜採取して利用するか、電解生成アルカリ性水および電解生成酸性水を注出状態で、同時にまたは個別的に利用するものである。電解生成水の連続注出態様は、第１注出スイッチ１３ａの押動操作または第１注出センサ１４ａの検知動作により開始されて、各導出管路１０ａ，１０ｂから互いに異なる電解生成水が注出され、同時に、連続注出表示ランプ１５ａが点灯して、連続注出状態を表示する。また、当該連続注出態様では、第１の導出管路１０ａから注出される電解生成水の種類と、第２の導出管路１０ｂから注出される電解生成水の種類がそれぞれの表示ランプにより点灯表示される。
【００２５】
当該電解水生成装置における電解運転状態が、電解生成アルカリ性水を第１の導出管路１０ａに導入し、電解生成酸性水を第２の導出管路１０ｂに導入するものである場合には、第１の導出管路１０ａからは電解生成アルカリ性水が注出されるものとして、アルカリ性水表示ランプ１７ａが点灯してこれを表示するとともに、第２の導出管路１０ｂからは電解生成酸性水が注出されるものとして、酸性水表示ランプ１７ｃが点灯してこれを表示する。
【００２６】
当該電解運転状態において、点灯機能させる表示ランプは、図２に示す上列の左右のアルカリ性水表示ランプ１７ａと酸性水表示ランプ１７ｃである。アルカリ性水表示ランプ１７ａの点灯により、第１の導出管路１０ａが電解生成アルカリ性水を注出していることを確認することができ、かつ、酸性水表示ランプ１７ｃの点灯により、第２の導出管路１０ｂが電解生成アルカリ性水を注出していることを確認することができる。なお、各表示ランプ１７ａ，１７ｃの点灯では、互いに異なる色（緑色，橙色）に光輝させる手段と、図２に示すように、アルカリ性水の文字標記と、酸性水の文字標記の手段を採ることができる。
【００２７】
当該電解水生成装置における電解運転状態が、両電極に対する極性を上記とは正負反転して行われた場合には、電解生成アルカリ性水は第２の導出管路１０ｂに導入され、かつ、電解生成酸性水は第１の導出管路１０ａに導入される。当該電解運転状態では、第１の導出管路１０ａからは電解生成酸性水が注出されるものとして、酸性水表示ランプ１７ｂが点灯してこれを表示し、同時に、第２の導出管路１０ｂからは電解生成アルカリ性水が注出されるものとして、アルカリ性水表示ランプ１７ｄが点灯してこれを表示する。
【００２８】
当該電解運転状態において、点灯機能させる表示ランプは、図２に示す下列の左右のアルカリ性水表示ランプ１７ｄと酸性水表示ランプ１７ｂである。アルカリ性水表示ランプ１７ｄの点灯により、第２の導出管路１０ｂが電解生成アルカリ性水を注出していることを確認することができ、かつ、酸性水表示ランプ１７ｂの点灯により、第１の導出管路１０ａが電解生成アルカリ性水を注出していることを確認することができる。なお、各表示ランプ１７ｄ，１７ｂの点灯では、各表示ランプ１７ａ，１７ｃと同様に、互いに異なる色（緑色，橙色）に光輝させる手段と、図２に示すように、アルカリ性水の文字標記と、酸性水の文字標記の手段を採ることができる。
【００２９】
電解生成水の連続注出態様の実行は、第１注出スイッチ１３ａの再度の押動操作または第１注出センサ１４ａの再度の検知動作により停止されて、当該電解水生成装置２１の電解運転が停止されて、各導出管路１０ａ，１０ｂからの各電解生成水の注出が停止され、かつ、点灯状態にある全ての表示ランプが消灯する。
【００３０】
また、定量注出態様は、一定量の電解生成アルカリ性水および電解生成酸性水を、第１の導出管路１０ａおよび第２の導出管路１０ｂから注出して、注出された電解生成アルカリ性水および電解生成酸性水を適宜採取して利用するか、電解生成アルカリ性水および電解生成酸性水を注出状態で、同時にまたは個別的に利用する。電解生成水の定量注出態様は、第１注出スイッチ１３ａの押動操作を所定時間継続するか、または、第１注出センサ１４ａの検知動作を所定時間継続することにより開始されて、各導出管路１０ａ，１０ｂから互いに異なる電解生成水が注出され、同時に、定量表示ランプ１５ｂが点灯して、定量注出状態を表示する。また、当該定量注出態様では、第１の導出管路１０ａから注出される電解生成水の種類と、第２の導出管路１０ｂから注出される電解生成水の種類が表示ランプにより点灯表示される。
【００３１】
各表示ランプによる点灯表示は、連続注出態様の実行している場合と同様であり、また、当該電解水生成装置における電解運転状態が、両電極に対する極性を上記とは正負反転して行われた場合にも、連続注出態様の実行している場合と同様である。当該定量注出態様の実行は、設定された時間が経過した時点で停止され、当該電解水生成装置２１の電解運転が停止されて、各導出管路１０ａ，１０ｂからの各電解生成水の注出が停止され、かつ、点灯状態にある全ての表示ランプが消灯する。
【００３２】
当該注出装置１０が有する手洗い洗浄態様（手洗い注出態様）は、両導出管路１０ａ，１０ｂの一方から電解生成アルカリ性水を注出し、同時に、両導出管路１０ａ，１０ｂの他方から電解生成酸性水を注出して、手を、先ず電解生成アルカリ性水により所定時間洗浄し、所定時間経過後に、電解生成酸性水による洗浄に移行するものである。当該手洗い洗浄態様は、第２注出スイッチ１３ｂの押動操作または第２注出センサ１４ｂの検知動作にて開始され、手洗い注出表示ランプ１５ｃが点灯するとともに、例えば、第１の導出管路１０ａから電解生成アルカリ性水が注出され、同時に、第２の導出管路１０ｂから電解生成酸性水が注出される。この場合、先ず第１の導出管路１０ａの近傍に位置するアルカリ性水表示ランプ１７ａが点灯し、所定時間経過後、アルカリ性水表示ランプ１７ａは消灯して、第２の導出管路１０ｂの近傍に位置する酸性水表示ランプ１７ｃが点灯する。酸性水表示ランプ１７ｃは、所定時間経過後に消灯する。この時点で、手洗い洗浄態様の実行は終了する。当該電解水生成装置２１の電解運転では、電解生成水の表示ランプとしては、図２に示す上列の左右のアルカリ性水表示ランプ１７ａと酸性水表示ランプ１７ｃが点灯機能する。
【００３３】
当該手洗い洗浄態様では、各表示ランプ１７ａ，１７ｃの点灯表示に従って手の洗浄を行い、手を、先ず電解生成アルカリ性水より洗浄し、所定時間経過後、電解生成酸性水により所望の時間洗浄する。表示ランプ１７ａの点灯時間は、電解生成アルカリ性水による洗浄時間であり、かつ、表示ランプ１７ｃの点灯時間は、電解生成酸性性水による洗浄時間であり、これらの洗浄時間は、適宜設定することができる。本実施形態では、１５秒〜１２０秒の範囲において、任意に設定できるようになっている。なお、当該注出装置１０においては、手洗い洗浄態様の実行の終了を、第２注出スイッチ１３ｂの再度の押動操作または第２注出センサ１４ｂの再度の検知動作によって行うようにすることもできる。この場合には、手洗い洗浄態様の実行終了した時点において、酸性水表示ランプ１７ｃを消灯させるようにする。
【００３４】
また、当該電解水生成装置における電解運転状態が、両電極に対する極性を上記とは正負反転して行われた場合においては、第２の導出管路１０ｂから電解生成アルカリ性水が注出され、かつ、第１の導出管路１０ａから電解生成酸性水が注出される。この場合の表示ランプにより点灯表示には、図２に示す下列の左右の表示ランプ、すなわち、アルカリ性水表示ランプ１７ｄと酸性水表示ランプ１７ｂが機能する。当該電解運転状態では、先ず第２の送出管路１０ｂの近傍のアルカリ性水表示ランプ１７ｄが点灯し、アルカリ性水表示ランプ１７ｄは所定時間経過後に消灯し、同時に、第１の導出管路１０ａに近傍の酸性水表示ランプ１７ｂが点灯する。これにより、手洗い洗浄順序が的確に表示され、人は洗浄順序を間違えることなく、手を洗浄することができる。
【図面の簡単な説明】
【００３５】
【図１】本発明に係る注出装置の一実施形態を示す斜め前方から見た斜視図である。
【図２】同注出装置における操作パネルの表示部の一部を拡大して示す模式図である。
【符号の説明】
【００３６】
１０…注出装置、１０ａ…第１の導出管路、１０ｂ…第２の導出管路、１０ｃ…制御ボックス、１０ｄ…操作パネル、１１ａ，１２ａ…管本体、１１ｂ，１２ｂ…噴出ノズル、１３ａ…第１注出スイッチ、１３ｂ…第２注出スイッチ、１４ａ…第１注出センサ、１４ｂ…第２注出センサ、１５ａ…連続注出表示ランプ、１５ｂ…定量注出表示ランプ、１５ｃ…手洗い注出表示ランプ、１６ａ…生成表示ランプ、１６ｂ…点検表示ランプ、１７ａ，１７ｄ…アルカリ性水表示ランプ、１７ｂ，１７ｃ…酸性水表示ランプ、２１…電解水生成装置、２２…制御装置。
【図１】
2007075664.tif 000003
【図２】
2007075664.tif 000004